(57)【要約】【課題】冷媒検知センサの寿命を保つこと。【解決手段】室内ユニット１０は、空調対象空間９０へ空気を吹き出す吹出口１８と、可燃性の冷媒ガスが流れる冷媒流路部材２０と、冷媒流路部材２０から漏洩した冷媒ガスを検知する冷媒検知センサ３０と、を備える。冷媒検知センサ３０は、空調対象空間９０に面するように配置される。冷媒検知センサ３０は、ケーシング３１を有する。ケーシングに３１は、冷媒ガスを取り込むためのガス取込口３２が形成されている。冷媒検知センサ３０は、吹出口１８から吹き出される空気が通過する通風領域７０の外側に配置される通風域外部分３６を有する。通風域外部分３６は、ガス取込口３２を含む。【選択図】図１
2019015482.tif 000002
【特許請求の範囲】
【請求項１】
空調対象空間（９０）へ空気を吹き出す吹出口（１８）と、
可燃性の冷媒ガスが流れる冷媒流路部材（４０）と、
前記冷媒流路部材から漏洩した前記冷媒ガスを検知する冷媒検知センサ（３０）と、
を備え、
前記冷媒検知センサは、前記空調対象空間に面するように配置され、
前記冷媒検知センサは、ケーシング（３１）を有し、
前記ケーシングには、前記冷媒ガスを取り込むためのガス取込口（３２）が形成されており、
前記冷媒検知センサは、前記吹出口から吹き出される前記空気が通過する通風領域（７０）の外側に配置される通風域外部分（３６）を有し、
前記通風域外部分は、前記ガス取込口を含む、
室内ユニット（１０）。
【請求項２】
前記冷媒検知センサは、
前記冷媒ガスを検知するよう構成されたセンサ素子（４２）と、
前記センサ素子へ到達する前に前記冷媒ガスが通過するフィルタ（４５）と、
をさらに有し、
前記通風域外部分は、前記フィルタを含む、
請求項１に記載の室内ユニット。
【請求項３】
前記通風域外部分は、前記センサ素子を含む、
請求項２に記載の室内ユニット。
【請求項４】
前記吹出口に設けられ、揺動することによって前記空気が吹き出される方向を変えるフラップ（１９）、
をさらに備え、
前記通風領域は、前記フラップの揺動範囲を規定する中心角（θ）の内側である、
請求項１から３のいずれか１つに記載の室内ユニット。
【請求項５】
前記通風域外部分は、前記吹出口に隣接して、前記吹出口から前記吹出口の長手方向にずれた位置に配置される、
請求項１から４のいずれか１つに記載の室内ユニット。
【請求項６】
前記通風域外部分は、複数の前記吹出口の間に配置される、
請求項１から５のいずれか１つに記載の室内ユニット。
【請求項７】
前記空調対象空間から前記空気を吸い込む吸込口（１７）、
をさらに備え、
前記吸込口へ吸い込まれる前記空気は、前記通風領域を通過する、
請求項１から６のいずれか１つに記載の室内ユニット。
【請求項８】
前記ガス取込口は、前記吸込口および前記吹出口のうち最も低く配置されているものよりも、さらに低い位置に配置されている、
請求項７に記載の室内ユニット。
【請求項９】
前記通風域外部分は、前記吹出口と前記吸込口の間に配置される、
請求項７または８に記載の室内ユニット。
【請求項１０】
前記通風域外部分は、前記吹出口を基準として、前記吸込口の反対側に配置される、
請求項７から９のいずれか１つに記載の室内ユニット。
【請求項１１】
前記通風域外部分は、前記吸込口を基準として、前記吹出口の反対側に配置される、
請求項７から１０のいずれか１つに記載の室内ユニット。
【請求項１２】
前記通風域外部分は、複数の前記吸込口の間に配置される、
請求項７から１１のいずれか１つに記載の室内ユニット。
【請求項１３】
前記冷媒流路部材を収容する筐体（１１）、
をさらに備え、
前記通風域外部分は、前記筐体に設けられた前記吹出口および前記吸込口以外の開口（１６）に配置される、
請求項７から１２のいずれか１つに記載の室内ユニット。
【請求項１４】
前記空調対象空間に面するように配置された化粧パネル（１５）、
をさらに備え、
前記通風域外部分は、前記化粧パネルに設けられた前記吹出口および前記吸込口以外の開口（１６）に配置される、
請求項７から１２のいずれか１つに記載の室内ユニット。
【発明の詳細な説明】
【技術分野】
【０００１】
本発明は、冷媒検知センサを有する空気調和装置の室内ユニットに関する。
【背景技術】
【０００２】
空気調和装置から冷媒が漏洩した場合に空気調和装置の運転を停止させるため、空気調和装置には冷媒検知センサが搭載されることがある。特許文献１（特開平８−１７８３９７号公報）に開示される空気調和装置は、空調対象の部屋の天井に設置された室内ユニットと、壁に設置された冷媒検知センサを備えている。冷媒検知センサは有線通信により、検知結果を室内ユニットに知らせる。
【０００３】
このように冷媒検知センサが室内ユニットとは別体である場合、空気調和装置を部屋へ設置する際に施工の負担が大きい。したがって、冷媒検知センサは室内ユニットに一体化されていることが望ましい。
【発明の概要】
【発明が解決しようとする課題】
【０００４】
室内ユニットには、空気の吹出口が存在する。室内ユニットにおける冷媒検知センサの設置場所次第では、室内ユニットに出入りする空気そのもの、および、それによって運ばれる異物などが冷媒検知センサに当たる。このため、損傷によって、冷媒検知センサの寿命が縮められるおそれがある。
【０００５】
本発明の課題は、空気調和装置の室内ユニットにおいて、冷媒検知センサの寿命を保つことである。
【課題を解決するための手段】
【０００６】
本発明の第１観点に係る室内ユニットは、空調対象空間へ空気を吹き出す吹出口と、可燃性の冷媒ガスが流れる冷媒流路部材と、冷媒流路部材から漏洩した冷媒ガスを検知する冷媒検知センサと、を備える。冷媒検知センサは、空調対象空間に面するように配置される。冷媒検知センサは、ケーシングを有する。ケーシングには、冷媒ガスを取り込むためのガス取込口が形成されている。冷媒検知センサは、吹出口から吹き出される空気が通過する通風領域の外側に配置される通風域外部分を有する。通風域外部分は、ガス取込口を含む。
【０００７】
この構成によれば、ガス取込口は通風領域の外側に配置される。したがって、冷媒検知センサを損傷させうる空気そのもの、または異物などが、ガス取込口を通って冷媒検知センサの内部に侵入することが抑制されるので、冷媒検知センサの寿命が保たれやすい。
【０００８】
本発明の第２観点に係る室内ユニットは、第１観点に係る室内ユニットにおいて、冷媒検知センサが、冷媒ガスを検知するよう構成されたセンサ素子と、センサ素子へ到達する前に冷媒ガスが通過するフィルタと、をさらに有する。通風域外部分は、フィルタを含む。
【０００９】
この構成によれば、フィルタは通風領域の外側に配置される。したがって、空気そのものや異物などがフィルタを損傷することが抑制される。
【００１０】
本発明の第３観点に係る室内ユニットは、第２観点に係る室内ユニットにおいて、通風域外部分が、センサ素子を含む。
【００１１】
この構成によれば、センサ素子は通風領域の外側に配置される。したがって、空気そのものなどがセンサ素子を損傷することが抑制される。
【００１２】
本発明の第４観点に係る室内ユニットは、第１観点から第３観点のいずれか１つに係る室内ユニットにおいて、吹出口に設けられ、揺動することによって空気が吹き出される方向を変えるフラップ、をさらに備える。通風領域は、フラップの揺動範囲を規定する中心角の内側である。
【００１３】
この構成によれば、冷媒検知センサの通風域外部分は、フラップの揺動範囲の外側に配置される。したがって、フラップの作用により、冷媒検知センサに空気などが当たることが抑制される。
【００１４】
本発明の第５観点に係る室内ユニットは、第１観点から第４観点のいずれか１つに係る室内ユニットにおいて、通風域外部分が、吹出口に隣接して、吹出口から吹出口の長手方向にずれた位置に配置される。
【００１５】
この構成によれば、冷媒検知センサの通風域外部分は、吹出口に隣接して、吹出口から吹出口の長手方向にずれた位置に配置される。したがって、冷媒検知センサが、吹出口から吹き出す風から外れて配置されるので、冷媒検知センサに風が当たりにくい。
【００１６】
本発明の第６観点に係る室内ユニットは、第１観点から第５観点のいずれか１つに係る室内ユニットにおいて、通風域外部分が、複数の吹出口の間に配置される。
【００１７】
この構成によれば、冷媒検知センサの通風域外部分は、複数の吹出口の間に配置される。したがって、冷媒検知センサが、吹出口から吹き出す風の径路から外れて配置されるので、冷媒検知センサに風が当たりにくい。
【００１８】
本発明の第７観点に係る室内ユニットは、第１観点から第６観点のいずれか１つに係る室内ユニットにおいて、空調対象空間から空気を吸い込む吸込口、をさらに備える。吸込口へ吸い込まれる空気は、通風領域を通過する。
【００１９】
この構成によれば、吸込口に吸い込まれる空気は通風領域を通過する。したがって、吸込口に吸い込まれる空気が冷媒検知センサを損傷することが抑制される。
【００２０】
本発明の第８観点に係る室内ユニットは、第７観点に係る室内ユニットにおいて、ガス取込口が、吸込口および吹出口のうち最も低く配置されているものよりも、さらに低い位置に配置されている。
【００２１】
この構成によれば、ガス取込口は、冷媒ガスが漏洩するおそれのある室内ユニットの開口よりも低く配置される。したがって、冷媒ガスが空気より重い比重を持つ場合、検知性能が向上する。
【００２２】
本発明の第９観点に係る室内ユニットは、第７観点または第８観点に係る室内ユニットにおいて、通風域外部分が、吹出口と吸込口の間に配置される。
【００２３】
この構成によれば、冷媒検知センサの通風域外部分は、吹出口と吸込口の間に配置される。したがって、冷媒検知センサが、吹出口から吹き出す風および吸込口に吸い込まれる風の径路から外れて配置されるので、冷媒検知センサに風が当たりにくい。
【００２４】
本発明の第１０観点に係る室内ユニットは、第７観点から第９観点のいずれか１つに係る室内ユニットにおいて、通風域外部分が、吹出口を基準として、吸込口の反対側に配置される。
【００２５】
この構成によれば、冷媒検知センサの通風域外部分は、吹出口を基準として吸込口の反対側に配置される。したがって、冷媒検知センサが、吹出口から吹き出す風および吸込口に吸い込まれる風の径路から外れて配置されるので、冷媒検知センサに風が当たりにくい。
【００２６】
本発明の第１１観点に係る室内ユニットは、第７観点から第１０観点のいずれか１つに係る室内ユニットにおいて、通風域外部分が、吸込口を基準として、吹出口の反対側に配置される。
【００２７】
この構成によれば、冷媒検知センサの通風域外部分は、吸込口を基準として吹出口の反対側に配置される。したがって、冷媒検知センサが、吹出口から吹き出す風および吸込口に吸い込まれる風の径路から外れて配置されるので、冷媒検知センサに風が当たりにくい。
【００２８】
本発明の第１２観点に係る室内ユニットは、第７観点から第１１観点のいずれか１つに係る室内ユニットにおいて、通風域外部分が、複数の吸込口の間に配置される。
【００２９】
この構成によれば、冷媒検知センサの通風域外部分は、複数の吸込口の間に配置される。したがって、冷媒検知センサが、吸込口に吸い込まれる風の径路から外れて配置されるので、冷媒検知センサに風が当たりにくい。
【００３０】
本発明の第１３観点に係る室内ユニットは、第７観点から第１２観点のいずれか１つに係る室内ユニットにおいて、冷媒流路部材を収容する筐体、をさらに備える。通風域外部分は、筐体に設けられた吹出口および吸込口以外の開口に配置される。
【００３１】
この構成によれば、冷媒検知センサの通風域外部分は、筐体に設けられた吹出口および吸込口以外の開口に配置される。したがって、冷媒検知センサを吹出口または吸込口から外れて配置することが可能であるので、冷媒検知センサに風が当たりにくい。
【００３２】
本発明の第１４観点に係る室内ユニットは、第７観点から第１２観点のいずれか１つに係る室内ユニットにおいて、空調対象空間に面するように配置された化粧パネル、をさらに備える。通風域外部分は、化粧パネルに設けられた吹出口および吸込口以外の開口に配置される。
【００３３】
この構成によれば、冷媒検知センサの通風域外部分は、化粧パネルに設けられた吹出口および吸込口以外の開口に配置される。したがって、冷媒検知センサを吹出口または吸込口から外れて配置することが可能であるので、冷媒検知センサに風が当たりにくい。
【発明の効果】
【００３４】
本発明の第１観点から第７観点、および第９観点から第１４観点に係る室内ユニットによれば、冷媒検知センサの寿命が保たれやすい。
【００３５】
本発明の第８観点に係る室内ユニットによれば、冷媒ガスが空気より重い比重を持つ場合、冷媒の検知性能が向上する。
【図面の簡単な説明】
【００３６】
【図１】本発明に係る室内ユニット１０の基本構成の模式図である。
【図２】室内ユニット１０に搭載される冷媒検知センサ３０の構造の一例を示す模式図である。
【図３】本発明の第１実施形態に係る室内ユニット１０Ａの側方断面図である。
【図４】本発明の第１実施形態に係る室内ユニット１０Ａの底面図である。
【図５】本発明の第２実施形態に係る室内ユニット１０Ｂの底面図である。
【図６】本発明の第３実施形態に係る室内ユニット１０Ｃの底面図である。
【図７】本発明の第４実施形態に係る室内ユニット１０Ｄの側方断面図である。
【図８】本発明の第５実施形態に係る室内ユニット１０Ｅの側方断面図である。
【図９】本発明の第５実施形態に係る室内ユニット１０Ｅの底面図である。
【図１０】本発明の第６実施形態に係る室内ユニット１０Ｆの側方断面図である。
【図１１】本発明の第７実施形態に係る室内ユニット１０Ｇの模式図である。
【発明を実施するための形態】
【００３７】
＜基本構成＞
（１）全体構成
図１は、本発明に係る空調機の室内ユニット１０を模式的に示している。室内ユニット１０は、空調対象空間９０である部屋の天井、壁、その他の箇所に設置される。室内ユニット１０は筐体１１を有している。筐体１１には、空調対象空間９０にいる使用者に対して美観を与える化粧パネル１５が取りつけられていてもよい。筐体１１または化粧パネル１５には、空調対象空間９０から空気を吸い込む吸込口１７、および空調対象空間９０へ空気を吹き出す吹出口１８が形成されている。吹出口１８から吹き出される空気、および吸込口１７へ吸い込まれる空気が通過する領域を通風領域７０と呼ぶ。通風領域７０には比較的強い風が発生する。筐体１１の内部には、冷媒流路部材２０、ファン２３、冷媒検知センサ３０が配置される。
【００３８】
（２）詳細構成
（２−１）冷媒流路部材２０
室内ユニット１０の冷媒流路部材２０は、図示しない室外ユニットと共に冷媒回路を構成する。この冷媒回路には、可燃性の冷媒が循環してもよい。可燃性の冷媒は微燃性であってもよい。冷媒流路部材２０は、熱交換器２１と冷媒配管２２を含む。熱交換器２１は、冷媒配管２２を流れる冷媒と空気の間の熱交換を行う。冷媒は、冷媒流路部材２０を流れる際、ガス、気液２相、液体などの様々な状態をとりうる。
【００３９】
（２−２）ファン２３
ファン２３は、吸込口１７から空気を吸い込み、熱交換器２１において空気と冷媒との間の熱移動を促進し、吹出口１８から空気を吹き出す。ファン２３は、制御回路５１によって制御される。
【００４０】
（２−３）冷媒検知センサ３０
冷媒検知センサ３０は、冷媒流路部材２０から空調対象空間９０へ漏洩した冷媒ガスを検知するためのものである。換言すれば、冷媒検知センサ３０は、筐体１１の内部に蓄積した漏洩冷媒ガスを検知することを唯一の目的とはしていない。空調対象空間９０への冷媒ガスの漏洩を検知する目的のために、筐体１１または化粧パネル１５には、冷媒検知センサ３０が取り付けられるように空調対象空間９０に臨んだ開口１６が設けられることが好ましい。吸込口１７、吹出口１８をこの開口１６として用いるよりも、冷媒検知センサ３０による漏洩冷媒検知用の開口１６が別に設けられることが好ましい。
【００４１】
冷媒検知センサ３０の出力信号は、有線通信または無線通信によって受信回路５２へ送信された後、受信回路５２に接続された制御回路５１によって処理される。無線通信が行われる場合には、冷媒検知センサ３０には電力供給用の電池５３が接続されてもよい。
【００４２】
（３）冷媒検知センサ３０の詳細
図１に示すように、冷媒検知センサ３０のうち、通風領域７０の内側に配置されている部分を通風域内部分３５と呼ぶ。これに対して、冷媒検知センサ３０のうち、通風領域７０の外側に配置されている部分を通風域外部分３６と呼ぶ。本発明では、冷媒検知センサ３０は少なくとも通風域外部分３６を有する。冷媒検知センサ３０の全体が通風域外部分３６であってもよい。
【００４３】
図２は、冷媒検知センサ３０の構造の一例である。冷媒検知センサ３０は、ケーシング３１、回路基板３７、センサユニット４０を含む。ケーシング３１は、回路基板３７とセンサユニット４０を収容している。ケーシング３１には、冷媒ガスを取り込むためのガス取込口３２と、回路基板３７を支持するための回路基板支持部３３が形成されている。センサユニット４０は、回路基板３７に配置されている。ケーシング３１の少なくとも一部は、筐体１１または化粧パネル１５により構成されていてもよい。その場合には、開口１６とガス取込口３２とが同一のものであってもよい。一方、筐体１１または化粧パネル１５がケーシング３１と別体である場合には、筐体１１または化粧パネル１５に設けられた漏洩冷媒検知用の開口１６が冷媒検知センサ３０のガス取込口３２と連通するような態様で、冷媒検知センサ３０が配置される。
【００４４】
センサユニット４０は、センサカバー４１、センサ素子４２、フィルタ４５を有する。センサ素子４２は、冷媒ガスを検知するよう構成されている。例えば、センサ素子４２の抵抗値が、冷媒ガスの濃度に応じて変化する。センサ素子４２は、回路基板３７に実装されている。センサカバー４１は、冷媒ガスがセンサ素子４２へ到達する前にフィルタ４５を通過するように、冷媒ガスを案内する。センサカバー４１の少なくとも一部は、筐体１１または化粧パネル１５により構成されていてもよい。あるいは、センサカバー４１の少なくとも一部は、ケーシング３１により構成されていてもよい。
【００４５】
冷媒検知センサ３０の通風域外部分３６は、ガス取込口３２を含むように設定される。通風域外部分３６は、さらにフィルタ４５またはセンサ素子４２を含んでもよい。
【００４６】
フィルタ４５が筐体１１または化粧パネル１５と実質的に同一面上に設けられる場合には、フィルタ４５そのものがガス取込口３２の機能を兼ねる。
【００４７】
（４）特徴
（４−１）
ガス取込口３２は通風領域７０の外側に配置される。したがって、冷媒検知センサ３０を損傷させうる空気そのもの、または異物などが、ガス取込口３２を通って冷媒検知センサ３０の内部に侵入することが抑制されるので、冷媒検知センサ３０の寿命が保たれやすい。
【００４８】
（４−２）
フィルタ４５またはセンサ素子４２もまた通風領域７０の外側に配置されてもよい。この場合、空気そのものや異物などがフィルタ４５またはセンサ素子４２を損傷することが抑制される。
【００４９】
＜第１実施形態＞
（１）構成
図３および図４は、本発明の第１実施形態に係る室内ユニット１０Ａを示す。室内ユニット１０Ａは、天井埋め込みカセット型四方向吹き出し式室内ユニットである。室内ユニット１０Ａは、天井Ｃに埋め込まれる。筐体１１には、化粧パネル１５およびフラップ１９が設けられている。フラップ１９は、吹出口１８に設けられ、中心角θの範囲を揺動することによって空気が吹き出される方向を変える。通風領域７０は、フラップ１９の揺動範囲を規定する中心角θの内側である。
【００５０】
冷媒検知センサ３０は、例えば場所Ｓ１、場所Ｓ２、場所Ｓ３、場所Ｓ４に配置される。場所Ｓ１、場所Ｓ２、場所Ｓ３、場所Ｓ４は、いずれも中心角θの外側に位置している。場所Ｓ１は、２つの隣接する吹出口１８の間に位置している。場所Ｓ２は、吹出口１８と吸込口１７の間に位置している。場所Ｓ３は、吹出口１８に隣接して、吹出口１８から吹出口１８の長手方向にずれた位置に位置している。場所Ｓ４は、場所Ｓ１〜Ｓ３と同様、化粧パネル１５に設けられた吹出口１８および吸込口１７以外の開口１６に位置している。
【００５１】
（２）特徴
（２−１）
場所Ｓ１〜Ｓ４に関し、冷媒検知センサ３０の通風域外部分３６は、フラップ１９の揺動範囲の外側に配置される。したがって、フラップ１９の作用により、冷媒検知センサ３０に風などが当たることが抑制される。
【００５２】
（２−２）
場所Ｓ１に関し、冷媒検知センサ３０の通風域外部分３６は、複数の吹出口１８の間に配置される。したがって、冷媒検知センサ３０が、吹出口１８から吹き出す風の径路から外れて配置されるので、冷媒検知センサ３０に風が当たりにくい。
【００５３】
（２−３）
場所Ｓ２に関し、冷媒検知センサ３０の通風域外部分３６は、吹出口１８と吸込口１７の間に配置される。したがって、冷媒検知センサ３０が、吹出口１８から吹き出す風および吸込口１７に吸い込まれる風の径路から外れて配置されるので、冷媒検知センサ３０に風が当たりにくい。
【００５４】
（２−４）
場所Ｓ３に関し、冷媒検知センサ３０の通風域外部分３６は、吹出口１８に隣接して、吹出口１８から吹出口１８の長手方向にずれた位置に配置される。したがって、冷媒検知センサ３０が、吹出口１８から吹き出す風から外れて配置されるので、冷媒検知センサ３０に風が当たりにくい。
【００５５】
（２−５）
場所Ｓ１〜Ｓ４に関し、冷媒検知センサ３０の通風域外部分３６は、化粧パネル１５に設けられた吹出口１８および吸込口１７以外の開口１６に配置される。したがって、冷媒検知センサ３０を吹出口１８または吸込口１７から外れて配置することが可能であるので、冷媒検知センサ３０に風が当たりにくい。
【００５６】
（２−６）
例えば場所Ｓ２に関し、ガス取込口３２を、冷媒ガスが漏洩するおそれのある吸込口１７および吹出口１８のいずれよりも低く配置することができる。したがって、冷媒ガスが空気より重い比重を持つ場合、検知性能が向上する。
【００５７】
＜第２実施形態＞
（１）構成
図５は、本発明の第２実施形態に係る室内ユニット１０Ｂを示す。室内ユニット１０Ｂは、天井埋め込みカセット型シングルフロー式室内ユニットである。室内ユニット１０Ｂは、第１実施形態に係る室内ユニット１０Ａと同様に、天井に埋め込まれる。筐体１１には、１つの吸込口１７と１つの吹出口１８が設けられている。
【００５８】
冷媒検知センサ３０は、例えば場所Ｓ５、場所Ｓ６に配置される。場所Ｓ５は、吹出口１８に隣接して、吹出口１８から吹出口１８の長手方向にずれた位置に位置している。場所Ｓ６は、吹出口１８と吸込口１７の間に位置している。場所Ｓ５〜Ｓ６は、筐体１１に設けられた吹出口１８および吸込口１７以外の開口１６に位置している。
【００５９】
（２）特徴
（２−１）
場所Ｓ５に関し、冷媒検知センサ３０の通風域外部分３６は、吹出口１８に隣接して、吹出口１８から吹出口１８の長手方向にずれた位置に配置される。したがって、冷媒検知センサ３０が、吹出口１８から吹き出す風から外れて配置されるので、冷媒検知センサ３０に風が当たりにくい。
【００６０】
（２−２）
場所Ｓ６に関し、冷媒検知センサ３０の通風域外部分３６は、吹出口１８と吸込口１７の間に配置される。したがって、冷媒検知センサ３０が、吹出口１８から吹き出す風および吸込口１７に吸い込まれる風の径路から外れて配置されるので、冷媒検知センサ３０に風が当たりにくい。
【００６１】
（２−３）
場所Ｓ５〜Ｓ６に関し、冷媒検知センサ３０の通風域外部分３６は、筐体１１に設けられた吹出口１８および吸込口１７以外の開口１６に配置される。したがって、冷媒検知センサ３０を吹出口１８または吸込口１７から外れて配置することが可能であるので、冷媒検知センサ３０に風が当たりにくい。
【００６２】
＜第３実施形態＞
（１）構成
図６は、本発明の第３実施形態に係る室内ユニット１０Ｃを示す。室内ユニット１０Ｃは、天井埋め込みカセット型ダブルフロー式室内ユニットである。室内ユニット１０Ｃは、第１実施形態に係る室内ユニット１０Ａと同様に、天井に埋め込まれる。筐体１１には、２つの吸込口１７と２つの吹出口１８が設けられている。
【００６３】
冷媒検知センサ３０は、例えば場所Ｓ７、場所Ｓ８、場所Ｓ９に配置される。場所Ｓ７は、吹出口１８と吸込口１７の間に位置している。場所Ｓ８は、２つの隣接する吸込口１７の間に位置している。場所Ｓ９は、吹出口１８に隣接して、吹出口１８から吹出口１８の長手方向にずれた位置に位置している。場所Ｓ７〜Ｓ９は、筐体１１に設けられた吹出口１８および吸込口１７以外の開口１６に位置している。
【００６４】
（２）特徴
（２−１）
場所Ｓ８に関し、冷媒検知センサ３０の通風域外部分３６は、複数の吸込口１７の間に配置される。したがって、冷媒検知センサ３０が、吸込口１７に吸い込まれる風の径路から外れて配置されるので、冷媒検知センサ３０に風が当たりにくい。
【００６５】
（２−２）
場所Ｓ７および場所Ｓ９に関しては、第２実施形態で述べた効果と同様の効果を奏する。
＜第４実施形態＞
（１）構成
図７は、本発明の第４実施形態に係る室内ユニット１０Ｄを示す。室内ユニット１０Ｄは、天井吊型一方向吹き出し式室内ユニットである。室内ユニット１０Ｄは、天井Ｃに接触するように設置される。
【００６６】
冷媒検知センサ３０は、例えば場所Ｓ１０、場所Ｓ１１、場所Ｓ１２に配置される。場所Ｓ１０およびＳ１１は、吹出口１８と吸込口１７の間に位置している。場所Ｓ１２は、吹出口１８を基準として吸込口１７の反対側に位置している。場所Ｓ１０〜Ｓ１２は、筐体１１に設けられた吹出口１８および吸込口１７以外の開口１６に位置している。
【００６７】
（２）特徴
（２−１）
場所Ｓ１２に関し、冷媒検知センサ３０の通風域外部分３６は、吹出口１８を基準として吸込口１７の反対側に配置される。したがって、冷媒検知センサ３０が、吹出口１８から吹き出す風および吸込口１７に吸い込まれる風の径路から外れて配置されるので、冷媒検知センサ３０に風が当たりにくい。
【００６８】
（２−２）
場所Ｓ１０および場所Ｓ１１に関しては、第２実施形態で述べた効果と同様の効果を奏する。
【００６９】
＜第５実施形態＞
（１）構成
図８および図９は、本発明の第５実施形態に係る室内ユニット１０Ｅを示す。室内ユニット１０Ｄは、天井吊型四方向吹き出し式室内ユニットである。室内ユニット１０Ｅは、第４実施形態に係る室内ユニット１０Ｄと同様に、天井Ｃに接触するように設置される。筐体１１には、１つの吸込口１７と４つの吹出口１８が設けられている。
【００７０】
冷媒検知センサ３０は、例えば場所Ｓ１３、場所Ｓ１４に配置される。場所Ｓ１３は、吹出口１８と吸込口１７の間に位置している。場所Ｓ１４は、吹出口１８を基準として吸込口１７の反対側に位置している。場所Ｓ１３〜Ｓ１４は、筐体１１に設けられた吹出口１８および吸込口１７以外の開口１６に位置している。
【００７１】
（２）特徴
場所Ｓ１３および場所Ｓ１４に関しては、第４実施形態で述べた効果と同様の効果を奏する。
【００７２】
＜第６実施形態＞
（１）構成
図１０は、本発明の第６実施形態に係る室内ユニット１０Ｆを示す。室内ユニット１０Ｆは、壁掛け型室内ユニットである。室内ユニット１０Ｆは、壁Ｗに接触するように設置される。筐体１１には、フラップ１９が設けられている。フラップ１９は、吹出口１８に設けられ、中心角θの範囲を揺動することによって空気が吹き出される方向を変える。通風領域７０は、フラップ１９の揺動範囲を規定する中心角θの内側である。
【００７３】
冷媒検知センサ３０は、例えば場所Ｓ１５、場所Ｓ１６、場所Ｓ１７に配置される。場所Ｓ１５、場所Ｓ１６、場所Ｓ１７は、いずれも中心角θの外側に位置している。場所Ｓ１５は、吸込口１７を基準として吹出口１８の反対側に配置される。場所Ｓ１８は、吹出口１８と吸込口１７の間に位置している。場所Ｓ１７は、吹出口１８を基準として吸込口１７の反対側に位置している。場所Ｓ１５〜Ｓ１７は、筐体１１に設けられた吹出口１８および吸込口１７以外の開口１６に位置している。
【００７４】
（２）特徴
（２−１）
場所Ｓ１５に関し、冷媒検知センサ３０の通風域外部分３６は、吸込口１７を基準として吹出口１８の反対側に配置される。したがって、冷媒検知センサ３０が、吹出口１８から吹き出す風および吸込口１７に吸い込まれる風の径路から外れて配置されるので、冷媒検知センサ３０に風が当たりにくい。
【００７５】
（２−２）
場所Ｓ１６および場所Ｓ１７に関しては、第４実施形態で述べた効果と同様の効果を奏する。
【００７６】
＜第７実施形態＞
（１）構成
図１１は、本発明の第７実施形態に係る室内ユニット１０Ｇを示す。室内ユニット１０Ｇは、ダクト型室内ユニットである。室内ユニット１０Ｇは、ダクトの先端に設けられた吹出口１８を有する。
【００７７】
冷媒検知センサ３０は、例えば場所Ｓ１８、Ｓ１９に配置される。場所Ｓ１８は吹出口１８を有するダクトの側面に位置している。場所Ｓ１９は、天井に設けられたダクトに位置している。
【００７８】
（２）特徴
（２−１）
場所Ｓ１８に関し、冷媒検知センサ３０の通風域外部分３６は、吹出口１８を有するダクトの側面に配置される。したがって、冷媒検知センサ３０を吹出口１８または吸込口１７から外れて配置することが可能であるので、冷媒検知センサ３０に風が当たりにくい。
【００７９】
（２−２）
場所Ｓ１９に関し、冷媒検知センサ３０の通風域外部分３６は、天井に設けられたダクト配置される。したがって、冷媒検知センサ３０を吹出口１８または吸込口１７から外れて配置することが可能であるので、冷媒検知センサ３０に風が当たりにくい。
【符号の説明】
【００８０】
１０    室内ユニット
１１    筐体
１５    化粧パネル
１７    吸込口
１８    吹出口
３０    冷媒検知センサ
３５    通風域内部分
３６    通風域外部分
４０    センサユニット
７０    通風領域
９０    空調対象空間
Ｃ    天井
Ｗ    壁
【先行技術文献】
【特許文献】
【００８１】
【特許文献１】特開平８−１７８３９７号公報
【図１】
2019015482.tif 000003
【図２】
2019015482.tif 000004
【図３】
2019015482.tif 000005
【図４】
2019015482.tif 000006
【図５】
2019015482.tif 000007
【図６】
2019015482.tif 000008
【図７】
2019015482.tif 000009
【図８】
2019015482.tif 000010
【図９】
2019015482.tif 000011
【図１０】
2019015482.tif 000012
【図１１】
2019015482.tif 000013